(57)【要約】【課題】本発明は、第１対向部と第２対向部とが上下方向に相対変位した場合においても、安定したアンテナ特性が得られるアンテナを提供する。【解決手段】アンテナ１００は、主部２００と、対向部３００と、第１給電端子４００と、第２給電端子５００とを有している。主部２００は、切れ目２１０のある環状の形状を有するとともに、左右方向において互いに離れて位置して切れ目２１０を形成する第１端部２２０と第２端部とを有している。対向部３００は、第１端部２２０に設けられた第１対向部３１０と、第２端部に設けられた第２対向部３３０とを有している。第１対向部３１０と、第２対向部３３０とは、互いに離れている。第１対向部３１０は、上側対向部３１２と、下側対向部３１６とを有している。第２対向部３３０は、左右方向と直交する上下方向において上側対向部３１２と下側対向部３１６との間に挟まれている。【選択図】図２
2020178198.tif 000002
【特許請求の範囲】
【請求項１】
主部と、対向部と、第１給電端子と、第２給電端子とを有するアンテナであって、
前記主部は、切れ目のある環状の形状を有するとともに、左右方向において互いに離れて位置して前記切れ目を形成する第１端部と第２端部とを有しており、
前記対向部は、前記第１端部に設けられた第１対向部と、前記第２端部に設けられた第２対向部とを有しており、
前記第１対向部と、前記第２対向部とは、互いに離れており、
前記第１対向部は、上側対向部と、下側対向部とを有しており、
前記第２対向部は、前記左右方向と直交する上下方向において前記上側対向部と前記下側対向部との間に挟まれている
アンテナ。
【請求項２】
請求項１記載のアンテナであって、
前記上側対向部、前記下側対向部及び前記第２対向部の夫々は、平板形状を有しており、
前記上下方向及び前記左右方向と双方と直交する前後方向において、前記第２対向部のサイズは、前記上側対向部及び前記下側対向部のいずれのサイズよりも小さい
アンテナ。
【請求項３】
請求項１又は請求項２記載のアンテナであって、
前記第１対向部は、連結部を更に有しており、
前記連結部は、前記上側対向部と前記下側対向部とを互いに連結しており、
前記連結部は、前記上下方向及び前記左右方向と双方と直交する前後方向において、前記第１端部と異なる位置に位置している
アンテナ。
【請求項４】
請求項３記載のアンテナであって、
前記上側対向部及び前記下側対向部のどちらか一方は、前記第１端部から直接延びており、
前記上側対向部及び前記下側対向部の残りの一方は、前記連結部を介して前記上側対向部及び前記下側対向部の前記一方から延びている
アンテナ。
【請求項５】
請求項１から請求項４までのいずれかに記載のアンテナであって、
前記第２対向部は、繋ぎ部と、主対向部と、突出部とを有しており、
前記繋ぎ部は、前記第２端部と前記主対向部とを繋いでおり、
前記突出部は、前記主対向部を挟んで前記繋ぎ部の反対側に突出しており、
前記上下方向に沿って前記アンテナを見た場合、前記繋ぎ部の一部は、前記上側対向部及び前記下側対向部のいずれとも重なっておらず、
前記上下方向に沿って前記アンテナを見た場合、前記突出部の一部は、前記上側対向部及び前記下側対向部のいずれとも重なっておらず、
前記左右方向において、前記主対向部のサイズは、前記第１対向部のサイズよりも小さい
アンテナ。
【発明の詳細な説明】
【技術分野】
【０００１】
本発明は、対向部を有するアンテナに関する。
【背景技術】
【０００２】
特許文献１は、この種のアンテナ９００を開示している。図１０に示されるように、特許文献１のアンテナ９００は、キャパシタ（対向部）９１０と、グランド９２０と、同軸給電プローブ（第１給電端子）９３０と、複数のビア（第２給電端子）９４０とを有している。対向部９１０は、第１平板面（第１対向部）９１２と、第２平板面（第２対向部）９１４とを有している。第１対向部９１２と、第２対向部９１４とは、インターデジタルスロット９１８によって左右方向（Ｙ方向）に互いに隔てられている。
【先行技術文献】
【特許文献】
【０００３】
【特許文献１】特開２０１８−１７４５８５号公報
【発明の概要】
【発明が解決しようとする課題】
【０００４】
特許文献１のアンテナ９００は、第１対向部９１２と第２対向部９１４とが上下方向（Ｚ方向）に相対変位した場合、第１対向部９１２と第２対向部９１４とで構成されるキャパシタ９１０の静電容量が変化し、アンテナ９００のアンテナ特性が変わってしまうという問題がある。
【０００５】
そこで、本発明は、第１対向部と第２対向部とが上下方向に相対変位した場合においても、安定したアンテナ特性が得られるアンテナを提供することを目的とする。
【課題を解決するための手段】
【０００６】
本発明は、第１のアンテナとして、
主部と、対向部と、第１給電端子と、第２給電端子とを有するアンテナであって、
前記主部は、切れ目のある環状の形状を有するとともに、左右方向において互いに離れて位置して前記切れ目を形成する第１端部と第２端部とを有しており、
前記対向部は、前記第１端部に設けられた第１対向部と、前記第２端部に設けられた第２対向部とを有しており、
前記第１対向部と、前記第２対向部とは、互いに離れており、
前記第１対向部は、上側対向部と、下側対向部とを有しており、
前記第２対向部は、前記左右方向と直交する上下方向において前記上側対向部と前記下側対向部との間に挟まれている
アンテナを提供する。
【０００７】
また、本発明は、第２のアンテナとして、第１のアンテナであって、
前記上側対向部、前記下側対向部及び前記第２対向部の夫々は、平板形状を有しており、
前記上下方向及び前記左右方向と双方と直交する前後方向において、前記第２対向部のサイズは、前記上側対向部及び前記下側対向部のいずれのサイズよりも小さい
アンテナを提供する。
【０００８】
また、本発明は、第３のアンテナとして、第１又は第２のアンテナであって、
前記第１対向部は、連結部を更に有しており、
前記連結部は、前記上側対向部と前記下側対向部とを互いに連結しており、
前記連結部は、前記上下方向及び前記左右方向と双方と直交する前後方向において、前記第１端部と異なる位置に位置している
アンテナを提供する。
【０００９】
また、本発明は、第４のアンテナとして、第３のアンテナであって、
前記上側対向部及び前記下側対向部のどちらか一方は、前記第１端部から直接延びており、
前記上側対向部及び前記下側対向部の残りの一方は、前記連結部を介して前記上側対向部及び前記下側対向部の前記一方から延びている
アンテナを提供する。
【００１０】
また、本発明は、第５のアンテナとして、第１から第４までのいずれかのアンテナであって、
前記第２対向部は、繋ぎ部と、主対向部と、突出部とを有しており、
前記繋ぎ部は、前記第２端部と前記主対向部とを繋いでおり、
前記突出部は、前記主対向部を挟んで前記繋ぎ部の反対側に突出しており、
前記上下方向に沿って前記アンテナを見た場合、前記繋ぎ部の一部は、前記上側対向部及び前記下側対向部のいずれとも重なっておらず、
前記上下方向に沿って前記アンテナを見た場合、前記突出部の一部は、前記上側対向部及び前記下側対向部のいずれとも重なっておらず、
前記左右方向において、前記主対向部のサイズは、前記第１対向部のサイズよりも小さい
アンテナを提供する。
【発明の効果】
【００１１】
本発明のアンテナにおいて、第１対向部は、上側対向部と、下側対向部とを有しており、第２対向部は、上下方向において上側対向部と下側対向部との間に挟まれている。ここで、例えば、第２対向部が上側対向部に近づいて第２対向部と上側対向部との間の静電容量が増加するとき、第２対向部は下側対向部から離れるので、第２対向部と下側対向部との間の静電容量は減少する。第２対向部が下側対向部に近づいた場合にも同様である。このように、本発明のアンテナにおいては、第２対向部が第１対向部に対して上下方向に相対変位した場合においても、第１対向部と第２対向部とで構成されるキャパシタの静電容量の変動が抑えられるため、安定したアンテナ特性が得られる。
【図面の簡単な説明】
【００１２】
【図１】本発明の実施の形態によるアンテナを示す上側斜視図である。
【図２】図１のアンテナを示す下側斜視図である。
【図３】図１のアンテナを示す上面図である。
【図４】図１のアンテナを示す底面図である。
【図５】図１のアンテナを示す正面図である。図において、対象物を点線で示している。
【図６】図５のアンテナをＡ−Ａ線に沿って示す断面図である。図において、対象物は省略されている。
【図７】図５のアンテナをＢ−Ｂ線に沿って示す断面図である。図において、対象物は省略されている。
【図８】図１のアンテナを示す側面図である。
【図９】図１のアンテナ用のブランクを示す上面図である。
【図１０】特許文献１のアンテナを示す上側斜視図である。
【発明を実施するための形態】
【００１３】
図５に示されるように、本発明の実施の形態によるアンテナ１００は、対象物８００に搭載されるものである。本実施の形態の対象物８００は、例えば、プリント回路基板である。対象物は、アンテナ搭載面（図示せず）を有し、アンテナ搭載面には、複数の接続パッド（図示せず）が形成されている。また、対象物は、給電線（図示せず）と、グランドプレーン（図示せず）とを備えている。
【００１４】
図３及び図４を参照して、本実施の形態のアンテナ１００は、複数の曲げ部２０８２，２０８５，３１８，４２２，５０１，５０３，５０５，７２２を有する一枚の金属板からなる、スプリットリング共振器構造を有している。即ち、本実施の形態のアンテナ１００は、共振アンテナである。図９を参照して、アンテナ１００は、単一の金属板に対して打ち抜き加工を行って得られたブランク１００Ａに、曲げ加工を行って形成される一体物である。ブランク１００Ａ及びその曲げ加工については後述する。
【００１５】
図１及び図２に示されるように、本実施の形態のアンテナ１００は、主部２００と、対向部３００と、第１給電端子４００と、３つの第２給電端子５００と、付加的端子７００とを有している。なお本発明はこれに限定されず、第２給電端子５００は少なくとも一つあればよい。
【００１６】
図３を参照して、本実施の形態の主部２００は、アンテナ１００のインダクタンス成分を構成する。図２及び図３に示されるように、主部２００は、切れ目２１０のある環状の形状を有している。より詳しくは、主部２００は、四辺を有する略矩形の環状を有している。ここで、「環状」は、円環形のみならず、楕円環形や多角環形をも含む。
【００１７】
図３に示されるように、主部２００は、左右方向に延びる第１辺部２０１と、第１辺部２０１の両端から前方へ延びる第２辺部２０３及び第３辺部２０５と、第２辺部２０３の前端部と第３辺部２０５の前端部との間に位置する第４辺部２０７とを備えている。本実施の形態において、左右方向はＹ方向である。ここで、右方を−Ｙ方向、左方を＋Ｙ方向とする。また本実施の形態において、前後方向はＸ方向である。ここで、前方は＋Ｘ方向であり、後方は−Ｘ方向である。
【００１８】
図３に示されるように、第１辺部２０１は、主部２００の後端を規定している。第１辺部２０１は、曲げ部５０１を有している。第２辺部２０３は、主部２００の右端を規定している。第２辺部２０３は、曲げ部５０３を有している。第３辺部２０５は、主部２００の左端を規定している。第３辺部２０５は曲げ部５０５を有している。
【００１９】
図３に示されるように、第４辺部２０７は、主部２００の前端を規定している。第４辺部２０７は、右部２０８と、左部２０９とで構成されている。右部２０８と左部２０９とは、直接連結されていない。左部２０９は、左右方向において、右部２０８の左方に位置している。
【００２０】
図４に示されるように、右部２０８は、第２辺部２０３から左右方向における左方に延びた後、前後方向における後方に延びている。右部２０８は、第１曲げ部（曲げ部）２０８２と、第１直線部２０８４と、第２曲げ部（曲げ部）２０８５と、角部２０８６と、第２直線部２０８８とを有している。
【００２１】
図２に示されるように、第１曲げ部２０８２は、第２辺部２０３の下端と第１直線部２０８４とを連結している。第１直線部２０８４は、第１曲げ部２０８２から左右方向における左方且つ上下方向における上方に延びている。本実施の形態において、上下方向はＺ方向である。また、上方は＋Ｚ方向であり、下方は−Ｚ方向である。第１直線部２０８４の左端は、第２曲げ部２０８５に連結されている。第２曲げ部２０８５の左端は、角部２０８６に連結されている。角部２０８６は、第２曲げ部２０８５と第２直線部２０８８とを互いに連結している。第２直線部２０８８は、角部２０８６から前後方向における後方に延びている。
【００２２】
図３に示されるように、左部２０９は、第３辺部２０５から左右方向における右方に延びている。
【００２３】
図４に示されるように、本実施の形態の主部２００には、複数の被固定部２５０が設けられている。より詳しくは、主部２００には、３つの被固定部２５０が設けられている。３つの被固定部２５０は、主部２００の第１辺部２０１、第２辺部２０３及び第３辺部２０５の外縁に夫々設けられている。なお、主部２００の第４辺部２０７の外縁には、被固定部は設けられていない。図５に示されるように、被固定部２５０は、アンテナ１００の下端でもある。アンテナ１００が対象物８００に搭載された際、主部２００の第１辺部２０１、第２辺部２０３及び第３辺部２０５の被固定部２５０は対象物８００に固定される。なお、上述のように、主部２００の第４辺部２０７の外縁には被固定部は設けられていないため、アンテナ１００が対象物８００に搭載された際に、第４辺部２０７の外縁は対象物８００に固定されない。
【００２４】
図３に示されるように、本実施の形態の主部２００は、第１端部２２０と、第２端部２３０とを有している。
【００２５】
図２及び図３から理解されるように、本実施の形態の第１端部２２０と第２端部２３０とは、左右方向において互いに離れて位置して切れ目２１０を形成している。第１端部２２０は、左右方向において第２端部２３０の左側に位置している。切れ目２１０は、第１端部２２０及び第２端部２３０を上下に隔てている。即ち、第１端部２２０と第２端部２３０とは、上下方向において互いに異なる位置に位置している。第１端部２２０は、主部２００の第４辺部２０７の左部２０９に設けられている。第２端部２３０は、主部２００の第４辺部２０７の右部２０８の第２直線部２０８８に設けられている。
【００２６】
図６を参照して、本実施の形態の対向部３００は、アンテナ１００のキャパシタンス成分を構成する。上述のように、主部２００がアンテナ１００のインダクタンス成分を構成することから、対向部３００と主部２００とはＬＣ共振回路を構成する。図３に示されるように、対向部３００の後端は、主部２００と連結されていない。対向部３００は、左右方向において主部２００の第２辺部２０３と第３辺部２０５との間に位置している。図３及び図７に示されるように、対向部３００は、第１端部２２０に設けられた第１対向部３１０と、第２端部２３０に設けられた第２対向部３３０とを有している。
【００２７】
図６に示されるように、本実施の形態の第１対向部３１０と、第２対向部３３０とは、互いに離れている。
【００２８】
図１及び図２に示されるように、本実施の形態の第１対向部３１０は、上側対向部３１２と、下側対向部３１６と、連結部３１８とを有している。
【００２９】
図１及び図２に示されるように、本実施の形態の上側対向部３１２は、平板形状を有している。上側対向部３１２は、上下方向と直交する平板形状を有している。上側対向部３１２は、第１端部２２０から直接延びている。より詳しくは、上側対向部３１２は、第１端部２２０から左右方向における右方に直接延びている。なお、本実施の形態の上側対向部３１２は上述のような構造を有しているため、バキュームで上側対向部３１２を吸着することによりアンテナ１００全体を持ち上げることができる。従って、本実施の形態のアンテナ１００は、自動搬送システムにおいて取り扱いが容易となっている。
【００３０】
図２に示されるように、本実施の形態の下側対向部３１６は、平板形状を有している。下側対向部３１６は、上下方向と直交する平板形状を有している。図６に示されるように、下側対向部３１６は、上下方向において上側対向部３１２の下方に位置している。図３及び図４に示されるように、下側対向部３１６は、上側対向部３１２と同一形状を有している。即ち、図３，４，６を参照して、下側対向部３１６の前後方向におけるサイズＳ３は、上側対向部３１２の前後方向におけるサイズＳ２と同じであり、下側対向部３１６の左右方向におけるサイズＳ７は、上側対向部３１２の左右方向におけるサイズＳ６と同じである。
【００３１】
図３に示されるように、連結部３１８は、上下方向及び左右方向と双方と直交する前後方向において、第１端部２２０と異なる位置に位置している。図６に示されるように、本実施の形態の連結部３１８は、左右方向と直交する平面内において、横倒しのＵ字状の断面を有している。連結部３１８の前端は、アンテナ１００の前端である。連結部３１８は、上側対向部３１２と下側対向部３１６とを互いに連結している。より詳しくは、連結部３１８は、上側対向部３１２の前端と、下側対向部３１６の前端とを互いに連結している。下側対向部３１６は、連結部３１８を介して上側対向部３１２から延びている。なお、本発明はこれに限定されず、下側対向部３１６が第１端部２２０から直接延びており、上側対向部３１２が連結部３１８を介して下側対向部３１６から延びていてもよい。即ち、上側対向部３１２及び下側対向部３１６のどちらか一方は、第１端部２２０から直接延びており、上側対向部３１２及び下側対向部３１６の残りの一方は、連結部３１８を介して上側対向部３１２及び下側対向部３１６の上記一方から延びていればよい。しかしながら、本実施の形態の対向部３００の構成によれば、アンテナ１００の上下方向におけるサイズを抑制することができるため、より好ましい。
【００３２】
図７に示されるように、本実施の形態の第２対向部３３０は、平板形状を有している。第２対向部３３０は、上下方向と直交する平板形状を有している。図６に示されるように、第２対向部３３０は、左右方向と直交する上下方向において上側対向部３１２と下側対向部３１６との間に挟まれている。これにより、第２対向部３３０が上側対向部３１２に近づくように上下方向において相対変位した場合、第２対向部３３０と上側対向部３１２との間の静電容量は増加するが、第２対向部３３０は下側対向部３１６から離れるので、第２対向部３３０と下側対向部３１６との間の静電容量は減少することとなる。即ち、第２対向部３３０が上側対向部３１２に近づくように上下方向において相対変位した場合、第１対向部３１０と第２対向部３３０とで構成されるキャパシタの静電容量の変動は抑制される。また、これと逆に、第２対向部３３０が下側対向部３１６に近づくように上下方向において相対変位した場合、第２対向部３３０と下側対向部３１６との間の静電容量は増加するが、第２対向部３３０は上側対向部３１２から離れるので、第２対向部３３０と上側対向部３１２との間の静電容量は減少することとなる。即ち、第２対向部３３０が下側対向部３１６に近づくように上下方向において相対変位した場合においても、第１対向部３１０と第２対向部３３０とで構成されるキャパシタの静電容量の変動は抑制される。このように、本実施の形態のアンテナ１００においては、第２対向部３３０が第１対向部３１０に対して上下方向に相対変位した場合、第１対向部３１０と第２対向部３３０とで構成されるキャパシタの静電容量の変動が抑えられるため、安定したアンテナ特性が得られる。
【００３３】
図６及び図７を参照して、上下方向及び左右方向と双方と直交する前後方向において、第２対向部３３０のサイズＳ１は、上側対向部３１２及び下側対向部３１６のいずれのサイズＳ２，Ｓ３よりも小さい。これにより、第２対向部３３０が、上側対向部３１２及び下側対向部３１６に対して前後方向に相対変位した場合においても、第２対向部３３０と上側対向部３１２との間の静電容量は殆ど変化せず、また第２対向部３３０と下側対向部３１６との間の静電容量も殆ど変化しない。即ち、本実施の形態のアンテナ１００においては、第２対向部３３０が第１対向部３１０に対して前後方向に相対変位した場合においても、第１対向部３１０と第２対向部３３０とで構成されるキャパシタの静電容量が殆ど変動しないため、安定したアンテナ特性が得られる。
【００３４】
図７に示されるように、本実施の形態の第２対向部３３０は、繋ぎ部３３２と、主対向部３３４と、突出部３３６とを有している。
【００３５】
図７を参照して、本実施の形態の繋ぎ部３３２は、上下方向と直交する平板形状を有している。繋ぎ部３３２は、第２端部２３０と主対向部３３４とを繋いでいる。より詳しくは、繋ぎ部３３２は、左右方向において第２端部２３０と主対向部３３４とを繋いでいる。図３及び図４に示されるように、上下方向に沿ってアンテナ１００を見た場合、繋ぎ部３３２の一部は、上側対向部３１２及び下側対向部３１６のいずれとも重なっておらず、繋ぎ部３３２の残部は、上側対向部３１２及び下側対向部３１６のいずれとも重なっている。即ち、繋ぎ部３３２は、上側対向部３１２及び下側対向部３１６のいずれとも部分的に重なっている。
【００３６】
図７を参照して、本実施の形態の主対向部３３４は、上下方向と直交する平板形状を有している。左右方向において、主対向部３３４のサイズＳ４は、第１対向部３１０のサイズＳ５よりも小さい。前後方向において、主対向部３３４のサイズＳ１０は、即ち第２対向部３３０のサイズＳ１である。
【００３７】
図７を参照して、本実施の形態の突出部３３６は、上下方向と直交する平板形状を有している。突出部３３６は、主対向部３３４を挟んで繋ぎ部３３２の反対側に突出している。前後方向において、突出部３３６のサイズＳ９は、繋ぎ部３３２のサイズＳ８と同じである。前後方向において主対向部３３４のサイズＳ１０は、繋ぎ部３３２のサイズＳ８及び突出部３３６のサイズＳ９のいずれよりも大きい。図３及び図４に示されるように、上下方向に沿ってアンテナ１００を見た場合、突出部３３６の一部は、上側対向部３１２及び下側対向部３１６のいずれとも重なっておらず、突出部３３６の残部は、上側対向部３１２及び下側対向部３１６のいずれとも重なっている。即ち、突出部３３６は、上側対向部３１２及び下側対向部３１６のいずれとも部分的に重なっている。
【００３８】
上述のように、本実施の形態のアンテナ１００においては、主対向部３３４の左右方向におけるサイズＳ４は第１対向部３１０の左右方向のおけるサイズＳ５よりも小さく、突出部３３６の前後方向におけるサイズＳ９は繋ぎ部３３２の前後方向におけるサイズＳ８と同じとなっており、上下方向に沿ってアンテナ１００を見た場合、繋ぎ部３３２の一部及び突出部３３６の一部の夫々は、上側対向部３１２及び下側対向部３１６のいずれとも重なっていない。これにより、本実施の形態のアンテナ１００においては、第２対向部３３０が、上側対向部３１２及び下側対向部３１６に対して左右方向に相対変位した場合においても、第２対向部３３０と上側対向部３１２との間の静電容量は殆ど変化せず、また第２対向部３３０と下側対向部３１６との間の静電容量も殆ど変化しない。即ち、本実施の形態のアンテナ１００においては、第２対向部３３０が第１対向部３１０に対して左右方向に相対変位した場合においても、第１対向部３１０と第２対向部３３０とで構成されるキャパシタの静電容量が殆ど変動しないため、安定したアンテナ特性が得られる。
【００３９】
図５に示されるように、本実施の形態の第１給電端子４００は、アンテナ１００が対象物８００に搭載される際に対象物８００に固定される部位である。より詳しくは、第１給電端子４００は、アンテナ１００が対象物８００に搭載される際に、対象物８００の接続パッド（図示せず）を介して給電線（図示せず）に電気的に接続される。
【００４０】
図３に示されるように、第１給電端子４００は、主部２００に設けられている。より詳しくは、第１給電端子４００は、主部２００の第４辺部２０７の左部２０９に設けられている。即ち、第１給電端子４００は、主部２００の第４辺部２０７の左部２０９から延びている。
【００４１】
図２に示されるように、第１給電端子４００は、主部２００上において、第２給電端子５００と第１端部２２０との間に位置している。第１給電端子４００は、主部２００上において、第２給電端子５００よりも第１端部２２０に近い位置に位置している。即ち、第１給電端子４００と第１端部２２０との間の電流経路が、第１給電端子４００と第２給電端子５００の夫々との間の電流経路よりも短くなるように、第１給電端子４００は主部２００に設けられている。第１給電端子４００は、第１端部２２０から離れた位置に設けられている。より詳しくは、第１給電端子４００は、左右方向において、第１端部２２０から左側に離れた位置に設けられている。
【００４２】
図２及び図３に示されるように、本実施の形態の第１給電端子４００は、第１部４１０と、第２部４２０とを有している。
【００４３】
図１及び図２に示されるように、本実施の形態の第１部４１０は、主部２００の第４辺部２０７の左部２０９から前後方向における後方へ延びている。第１部４１０の端部４１２は、第１部４１０の後端である。
【００４４】
図５に示されるように、本実施の形態の第２部４２０は、アンテナ１００が対象物８００に搭載される際に対象物８００に固定される部位である。図２に示されるように、第２部４２０は、第１部４１０の端部４１２から上下方向において下方に延びている。なお本発明はこれに限定されず、第２部４２０は、第１部４１０の端部４１２から前後方向及び左右方向の双方と交差する方向へ延びていればよい。第２部４２０は、上下方向における上端に第１給電端子曲げ部（曲げ部）４２２を有している。第２部４２０の第１給電端子曲げ部４２２は、前後方向において第１部４１０の端部４１２と連結されている。
【００４５】
図５に示されるように、本実施の形態の第２給電端子５００は、アンテナ１００が対象物８００に搭載される際に対象物８００に固定される部位である。より詳しくは、第２給電端子５００は、アンテナ１００が対象物８００に搭載される際に、被固定部２５０及び対象物８００の接続パッド（図示せず）を介してグランドパターン（図示せず）に電気的に接続される。
【００４６】
図２に示されるように、本実施の形態の第２給電端子５００は、主部２００に設けられている。より詳しくは、第２給電端子５００は、主部２００の第１辺部２０１、第２辺部２０３及び第３辺部２０５の夫々に設けられている。第２給電端子５００の夫々は、主部２００から上下方向における下方に延びている。
【００４７】
図５に示されるように、本実施の形態の付加的端子７００は、アンテナ１００が対象物８００に搭載される際に対象物８００に固定される部位である。なお、この際、付加的端子７００は、対象物８００の給電線及びグランドプレーンのいずれにも接続されない。
【００４８】
図３に示されるように、付加的端子７００は、主部２００に設けられている。より詳しくは、付加的端子７００は、主部２００の第４辺部２０７の右部２０８に設けられている。即ち、付加的端子７００は、主部２００の第４辺部２０７の右部２０８から延びている。
【００４９】
図２及び図３から理解されるように、付加的端子７００は、主部２００上において、第２給電端子５００と第２端部２３０との間に位置している。付加的端子７００は、主部２００上において、第２給電端子５００よりも第２端部２３０に近い位置に位置している。付加的端子７００は、対向部３００に関して、第１給電端子４００と反対側に位置している。付加的端子７００は、左右方向において、第２端部２３０の右側に位置している。
【００５０】
図２及び図３に示されるように、付加的端子７００は、第１部７１０と、第２部７２０とを有している。
【００５１】
図３に示されるように、本実施の形態の第１部７１０は、主部２００の第４辺部２０７の右部２０８から前後方向において後方に延びている。第１部７１０の端部７１２は、第１部７１０の後端である。
【００５２】
図５に示されるように、本実施の形態の第２部７２０は、アンテナ１００が対象物８００に搭載される際に対象物８００に固定される部位である。図２に示されるように、第２部７２０は、第１部７１０の端部７１２から上下方向において下方に延びている。なお本発明はこれに限定されず、第２部７２０は、第１部７１０の端部７１２から前後方向及び左右方向の双方と交差する方向へ延びていればよい。第２部７２０は、上下方向における上端に付加的端子曲げ部（曲げ部）７２２を有している。図３に示されるように、第２部７２０の付加的端子曲げ部７２２は、前後方向において第１部７１０の端部７１２と連結されている。
【００５３】
前述したように、図１及び図９を参照して、アンテナ１００はブランク１００Ａを曲げ加工して形成される。図９に示されるように、ブランク１００Ａは、均一な厚みを有しており、主部２００Ａと、対向部３００Ａと、第１給電端子４００Ａと、３つの第２給電端子５００Ａと、付加的端子７００Ａと、部位２０８２Ａ，２０８５Ａ，４２２Ａ，５０１Ａ，５０３Ａ，５０５Ａ，７２２Ａとを有している。主部２００Ａは、第１端部２２０Ａ及び第２端部２３０Ａを有している。また、主部２００Ａには、３つの被固定部２５０Ａが設けられている。対向部３００Ａは、第１端部２２０Ａに設けられた第１対向部３１０Ａと、第２端部２３０Ａに設けられた第２対向部３３０Ａとを有している。第１対向部３１０Ａは、上側対向部３１２Ａと、下側対向部３１６Ａと、部位３１８Ａとを有している。第２対向部３３０Ａは、繋ぎ部３３２Ａと、主対向部３３４Ａと、突出部３３６Ａとを有している。ここで、部位２０８２Ａ，５０３Ａを山折り曲げし、部位２０８５Ａを谷折り曲げした後、部位３１８Ａを山折り曲げする。また、部位４２２Ａ，５０１Ａ，５０５Ａを山折り曲げし、部位７２２Ａを谷折り曲げし、アンテナ１００を形成する。この曲げ加工により、部位２０８２Ａ，２０８５Ａ，４２２Ａ，５０１Ａ，５０３Ａ，５０５Ａ，７２２Ａは、曲げ部２０８２，２０８５，４２２，５０１，５０３，５０５，７２２となる。また、この曲げ加工により、主部２００Ａ、対向部３００Ａ、第１給電端子４００Ａ、第２給電端子５００Ａ及び付加的端子７００Ａは、主部２００、対向部３００、第１給電端子４００、第２給電端子５００及び付加的端子７００となる。更に、第１端部２２０Ａ、第２端部２３０Ａ、被固定部２５０Ａ、第１対向部３１０Ａ及び第２対向部３３０Ａは、第１端部２２０、第２端部２３０、被固定部２５０、第１対向部３１０及び第２対向部３３０となる。加えて、上側対向部３１２Ａ、下側対向部３１６Ａ、部位３１８Ａ、繋ぎ部３３２Ａ、主対向部３３４Ａ及び突出部３３６Ａは、上側対向部３１２、下側対向部３１６、連結部（曲げ部）３１８、繋ぎ部３３２、主対向部３３４及び突出部３３６となる。
【００５４】
以上、本発明について、実施の形態を掲げて具体的に説明してきたが、本発明はこれに限定されるわけではなく、種々の変形が可能である。
【符号の説明】
【００５５】
１００                  アンテナ
１００Ａ                ブランク
２００，２００Ａ        主部
２０１                  第１辺部
２０３                  第２辺部
２０５                  第３辺部
２０７                  第４辺部
２０８                  右部
２０８２                第１曲げ部（曲げ部）
２０８２Ａ              部位
２０８４                第１直線部
２０８５                第２曲げ部（曲げ部）
２０８５Ａ              部位
２０８６                角部
２０８８                第２直線部
２０９                  左部
２１０                  切れ目
２２０，２２０Ａ        第１端部
２３０，２３０Ａ        第２端部
２５０，２５０Ａ        被固定部
３００，３００Ａ        対向部
３１０，３１０Ａ        第１対向部
３１２，３１２Ａ        上側対向部
３１６，３１６Ａ        下側対向部
３１８                  連結部（曲げ部）
３１８Ａ                部位
３３０，３３０Ａ        第２対向部
３３２，３３２Ａ        繋ぎ部
３３４，３３４Ａ        主対向部
３３６，３３６Ａ        突出部
４００，４００Ａ        第１給電端子
４１０                  第１部
４１２                  端部
４２０                  第２部
４２２                  第１給電端子曲げ部（曲げ部）
４２２Ａ                部位
５００，５００Ａ        第２給電端子
５０１                  曲げ部
５０１Ａ                部位
５０３                  曲げ部
５０３Ａ                部位
５０５                  曲げ部
５０５Ａ                部位
７００，７００Ａ        付加的端子
７１０                  第１部
７１２                  端部
７２０                  第２部
７２２                  付加的端子曲げ部（曲げ部）
７２２Ａ                部位
８００                  回路基板（対象物）
Ｓ１                    サイズ
Ｓ２                    サイズ
Ｓ３                    サイズ
Ｓ４                    サイズ
Ｓ５                    サイズ
Ｓ６                    サイズ
Ｓ７                    サイズ
Ｓ８                    サイズ
Ｓ９                    サイズ
Ｓ１０                  サイズ
【図１】
2020178198.tif 000003
【図２】
2020178198.tif 000004
【図３】
2020178198.tif 000005
【図４】
2020178198.tif 000006
【図５】
2020178198.tif 000007
【図６】
2020178198.tif 000008
【図７】
2020178198.tif 000009
【図８】
2020178198.tif 000010
【図９】
2020178198.tif 000011
【図１０】
2020178198.tif 000012